(57)【特許請求の範囲】
【請求項１】
芯材を第１表面板と第２表面板とで挟んで、芯材を介して互いに接着してなる軽量ドアパネルであって、前記第１表面板と第２表面板は、表面となる化粧板の周囲を内向きに直角に折曲して上部縁板、下部縁板及び両側部縁板を形成するとともに、各縁板の端縁を直角に折曲して前記化粧板と平行な補強板を形成し、更に両側部補強板の内側縁を直角に折曲して前記側部縁板と平行な折曲板を形成したものであり、前記第１表面板と第２表面板の各補強板同士を突き合わせ接合するとともに、少なくとも戸先側の下端に第１表面板と第２表面板の側部縁板の表面と下端を覆い且つ該両側部縁板の位置決めをなす合成樹脂製のカバー部材を装着し、前記第１表面板と第２表面板の両化粧板間を、前記芯材を介して接着したことを特徴とする軽量ドアパネル。
【請求項２】
前記第１表面板と第２表面板の戸先側の上部縁板及び下部縁板の端部を切欠し、該第１表面板と第２表面板を接合した際に上下に開放した開口部を上下部に形成し、前記カバー部材は、前記第１表面板と第２表面板の両側部縁板、両側部補強板及び両折曲板の端部と両側部縁板の表面下端部を覆うカバー部と、前記下部開口部を利用して装着することにより、前記第１表面板と第２表面板を位置決めする嵌合部を備えたものである請求項１記載の軽量ドアパネル。
【請求項３】
前記カバー部材のカバー部は、ベース部の端部に前記第１表面板と第２表面板の両側部縁板の表面下端部に当接する先端カバー片を立上げ形成し、前記嵌合部には、前記下部開口部内で前記第１表面板と第２表面板の化粧板及び側部縁板の内面に当接する複数の突起と、両折曲板の内側面に当接する係合片を形成するとともに、該係合片の当接面側に係合爪を並設し、そして前記第１表面板と第２表面板の各折曲板の下端部に前記係合爪を抜止め係合する係合孔をそれぞれ形成してなる請求項２記載の軽量ドアパネル。
【請求項４】
前記第１表面板と第２表面板の戸尻側の上下コーナー部に、開閉用のヒンジを取付ける箱型の補強金具を側部と上下部を当接して位置決めした状態で配置するとともに、両化粧板に接着してなる請求項１〜３何れか１項に記載の軽量ドアパネル。
【請求項５】
芯材を第１表面板と第２表面板とで挟んで、芯材を介して互いに接着してなる軽量ドアパネルの製造方法であって、前記第１表面板と第２表面板は、表面となる化粧板の周囲を内向きに直角に折曲して上部縁板、下部縁板及び両側部縁板を形成するとともに、各縁板の端縁を直角に折曲して前記化粧板と平行な補強板を形成し、更に両側部補強板の内側縁を直角に折曲して前記側部縁板と平行な折曲板を形成し、前記第１表面板と第２表面板の戸先側の上部縁板及び下部縁板の端部を切欠し、該第１表面板と第２表面板を接合した際に上下に開放した開口部を上下部に形成するものであり、前記第１表面板の化粧板を下に向けてベンチに載せ、化粧板の戸尻側の上下コーナー部に接着剤を塗布した上部補強金具と下部補強金具を載せて位置決めし、それから、前記第１表面板の化粧板に表裏両面に接着剤を塗布した芯材を載せた後、前記第２表面板を化粧板を上にして載せて、前記第１表面板と第２表面板の各補強板同士を突き合わせ接合し、戸先側の下部開口部を利用して合成樹脂製のカバー部材を装着することにより、第１表面板と第２表面板の側部縁板の表面と下端を覆い且つ該両側部縁板の位置決めを行い、更に戸先側の上部開口部を利用して第１表面板と第２表面板の側部縁板を挟持して位置決めを行う上部固定具を着脱可能に装着し、前記第１表面板と第２表面板の両化粧板間を、前記芯材を介して接着した後、前記上部固定具を取り外すことを特徴とする軽量ドアパネルの製造方法。
【請求項６】
前記カバー部材は、前記第１表面板と第２表面板の両側部縁板、両側部補強板及び両折曲板の端部と両側部縁板の表面下端部を覆うカバー部と、前記下部開口部を利用して装着することにより、前記第１表面板と第２表面板を位置決めする嵌合部を備え、前記カバー部は、ベース部の端部に前記第１表面板と第２表面板の両側部縁板の表面下端部に当接する先端カバー片を立上げ形成し、前記嵌合部には、前記下部開口部内で前記第１表面板と第２表面板の化粧板及び側部縁板の内面に当接する複数の突起と、両折曲板の内側面に当接する係合片を形成するとともに、該係合片の当接面側に係合爪を並設し、前記第１表面板と第２表面板の各折曲板の下端部に前記係合爪を抜止め係合する係合孔をそれぞれ形成してなる請求項５記載の軽量ドアパネルの製造方法。
【発明の詳細な説明】
【技術分野】
【０００１】
本発明は、軽量ドアパネル及びその製造方法に係わり、更に詳しくは周囲をスチール板で取り囲み、内部に軽量芯材を充填した構造の軽量ドアパネル及びその製造方法に関するものである。
【背景技術】
【０００２】
従来から、スチール製の第１表面板と第２表面板とで紙製ハニカム等の芯材を挟み込み、互いの表面板を連結した構造の軽量パネルは各種提供され、ドアパネルや間仕切パネルとして広く使用されている。
【０００３】
例えば、特許文献１には、芯材を第１表面板と第２表面板とで挟むとともに、一側上下端部に箱型の補強金具を内装した構造を有し、少なくとも上下端部に前記補強金具を利用して開閉用のヒンジを取付けてなるドアパネル装置であって、第１表面板と第２表面板は、化粧板の周囲を内向きに直角に折曲して上部縁板、下部縁板及び両側部縁板を形成し、第１表面板の上部縁板及び下部縁板と、第２表面板の上部縁板及び下部縁板とは互に突き合わせ接合し、第１表面板の両側部縁板の外側に第２表面板の両側部縁板が重合状態で接合するように設定し、前記第１表面板の化粧板を下に向けてベンチに載せ、化粧板の一側上下端部に接着剤を塗布した上部補強金具と下部補強金具を載せて位置決めし、それから、前記第１表面板の化粧板に表裏両面に接着剤を塗布した芯材を載せた後、前記第２表面板を化粧板を上にして載せて、第１表面板の両側部縁板の外側に第２表面板の両側部縁板を外嵌するとともに、前記第１表面板の上部縁板の下向き補強板と第２表面板の上部縁板の下向き補強板を突き合わせ接合し、前記第１表面板の下部縁板の上向き補強板と第２表面板の下部縁板の上向き補強板を突き合わせ接合し、第１表面板と第２表面板の両側面にエッジ部材を配し、該エッジ部材を側方から貫通したタッピンネジを重合状態の前記側部縁板の下穴に螺合して取付けた構造のドアパネル装置が開示されている。
【０００４】
しかし、特許文献１の構造のパネルは、第１表面板と第２表面板の両側部縁板が内外に重合状態となっているので、水平方向に対する位置決めを確実に行える半面、必然的に外側に位置する側部縁板の端縁が露出するので、それを隠蔽するためにアルミ押出し型材からなるエッジ部材を両側端面に別途ネジ止めする必要があった。エッジ部材を取付けるためのネジによって、第１表面板と第２表面板の両側部縁板も強固に連結されるが、このエッジ部材の存在は、部品点数を減らし、組立工数を少なくし、もって製造コストを低減する上で大きな妨げであった。
【０００５】
また、特許文献２に開示されるように、床面から浮いた状態で移動するパネル体の下端カーナー部に合成樹脂製のフットガードを装着することは公知である。
【先行技術文献】
【特許文献】
【０００６】
【特許文献１】特許第３９７６０１３号公報
【特許文献２】実用新案登録第３００７２５４号公報
【発明の概要】
【発明が解決しようとする課題】
【０００７】
そこで、本発明が前述の状況に鑑み、解決しようとするところは、スチール製の第１表面板と第２表面板とで紙製ハニカム等の芯材を挟み込み、互いの表面板を連結した構造の軽量ドアパネルにおいて、両側端面にエッジ部材を取付けなくても外観性に優れ、また第１表面板と第２表面板とを連結する際の位置決めも正確であり、組立工数が少なく、容易に製造することができ、製造コストの低減化を図ることが可能な軽量ドアパネル及びその製造方法を提供する点にある。
【課題を解決するための手段】
【０００８】
本発明は、前述の課題解決のために、芯材を第１表面板と第２表面板とで挟んで、芯材を介して互いに接着してなる軽量ドアパネルであって、前記第１表面板と第２表面板は、表面となる化粧板の周囲を内向きに直角に折曲して上部縁板、下部縁板及び両側部縁板を形成するとともに、各縁板の端縁を直角に折曲して前記化粧板と平行な補強板を形成し、更に両側部補強板の内側縁を直角に折曲して前記側部縁板と平行な折曲板を形成したものであり、前記第１表面板と第２表面板の各補強板同士を突き合わせ接合するとともに、少なくとも戸先側の下端に第１表面板と第２表面板の側部縁板の表面と下端を覆い且つ該両側部縁板の位置決めをなす合成樹脂製のカバー部材を装着し、前記第１表面板と第２表面板の両化粧板間を、前記芯材を介して接着したことを特徴とする軽量ドアパネルを構成した（請求項１）。
【０００９】
ここで、前記第１表面板と第２表面板の戸先側の上部縁板及び下部縁板の端部を切欠し、該第１表面板と第２表面板を接合した際に上下に開放した開口部を上下部に形成し、前記カバー部材は、前記第１表面板と第２表面板の両側部縁板、両側部補強板及び両折曲板の端部と両側部縁板の表面下端部を覆うカバー部と、前記下部開口部を利用して装着することにより、前記第１表面板と第２表面板を位置決めする嵌合部を備えたものである（請求項２）。
【００１０】
更に、前記カバー部材のカバー部は、ベース部の端部に前記第１表面板と第２表面板の両側部縁板の表面下端部に当接する先端カバー片を立上げ形成し、前記嵌合部には、前記下部開口部内で前記第１表面板と第２表面板の化粧板及び側部縁板の内面に当接する複数の突起と、両折曲板の内側面に当接する係合片を形成するとともに、該係合片の当接面側に係合爪を並設し、そして前記第１表面板と第２表面板の各折曲板の下端部に前記係合爪を抜止め係合する係合孔をそれぞれ形成してなることがより好ましい（請求項３）。
【００１１】
そして、前記第１表面板と第２表面板の戸尻側の上下コーナー部に、開閉用のヒンジを取付ける箱型の補強金具を側部と上下部を当接して位置決めした状態で配置するとともに、両化粧板に接着してなることも好ましい（請求項４）。
【００１２】
また、本発明は、芯材を第１表面板と第２表面板とで挟んで、芯材を介して互いに接着してなる軽量ドアパネルの製造方法であって、前記第１表面板と第２表面板は、表面となる化粧板の周囲を内向きに直角に折曲して上部縁板、下部縁板及び両側部縁板を形成するとともに、各縁板の端縁を直角に折曲して前記化粧板と平行な補強板を形成し、更に両側部補強板の内側縁を直角に折曲して前記側部縁板と平行な折曲板を形成し、前記第１表面板と第２表面板の戸先側の上部縁板及び下部縁板の端部を切欠し、該第１表面板と第２表面板を接合した際に上下に開放した開口部を上下部に形成するものであり、前記第１表面板の化粧板を下に向けてベンチに載せ、化粧板の戸尻側の上下コーナー部に接着剤を塗布した上部補強金具と下部補強金具を載せて位置決めし、それから、前記第１表面板の化粧板に表裏両面に接着剤を塗布した芯材を載せた後、前記第２表面板を化粧板を上にして載せて、前記第１表面板と第２表面板の各補強板同士を突き合わせ接合し、戸先側の下部開口部を利用して合成樹脂製のカバー部材を装着することにより、第１表面板と第２表面板の側部縁板の表面と下端を覆い且つ該両側部縁板の位置決めを行い、更に戸先側の上部開口部を利用して第１表面板と第２表面板の側部縁板を挟持して位置決めを行う上部固定具を着脱可能に装着し、前記第１表面板と第２表面板の両化粧板間を、前記芯材を介して接着した後、前記上部固定具を取り外すことを特徴とする軽量ドアパネルの製造方法を提供する（請求項５）。
【００１３】
ここで、前記カバー部材は、前記第１表面板と第２表面板の両側部縁板、両側部補強板及び両折曲板の端部と両側部縁板の表面下端部を覆うカバー部と、前記下部開口部を利用して装着することにより、前記第１表面板と第２表面板を位置決めする嵌合部を備え、前記カバー部は、ベース部の端部に前記第１表面板と第２表面板の両側部縁板の表面下端部に当接する先端カバー片を立上げ形成し、前記嵌合部には、前記下部開口部内で前記第１表面板と第２表面板の化粧板及び側部縁板の内面に当接する複数の突起と、両折曲板の内側面に当接する係合片を形成するとともに、該係合片の当接面側に係合爪を並設し、前記第１表面板と第２表面板の各折曲板の下端部に前記係合爪を抜止め係合する係合孔をそれぞれ形成してなることがより好ましい（請求項６）。
【発明の効果】
【００１４】
以上にしてなる請求項１に係る発明の軽量ドアパネルは、芯材を第１表面板と第２表面板とで挟んで、芯材を介して互いに接着してなる軽量ドアパネルであって、前記第１表面板と第２表面板は、表面となる化粧板の周囲を内向きに直角に折曲して上部縁板、下部縁板及び両側部縁板を形成するとともに、各縁板の端縁を直角に折曲して前記化粧板と平行な補強板を形成し、更に両側部補強板の内側縁を直角に折曲して前記側部縁板と平行な折曲板を形成したものであり、前記第１表面板と第２表面板の各補強板同士を突き合わせ接合するとともに、少なくとも戸先側の下端に第１表面板と第２表面板の側部縁板の表面と下端を覆い且つ該両側部縁板の位置決めをなす合成樹脂製のカバー部材を装着し、前記第１表面板と第２表面板の両化粧板間を、前記芯材を介して接着したので、第１表面板と第２表面板の周囲に形成した補強板同士を突き合わせ接合し、両化粧板間を前記芯材を介して接着した簡単な構造にも係わらず、戸先側の下端部に装着したカバー部材で位置決めを行うことができるので、側部縁板の段差がなく、エッジ部材を取付けなくても外観性に優れ、しかもカバー部材が戸先側の下端部を覆っているのでフットガードとしての機能も果たすのである。
【００１５】
請求項２によれば、前記第１表面板と第２表面板の戸先側の上部縁板及び下部縁板の端部を切欠し、該第１表面板と第２表面板を接合した際に上下に開放した開口部を上下部に形成し、前記カバー部材は、前記第１表面板と第２表面板の両側部縁板、両側部補強板及び両折曲板の端部と両側部縁板の表面下端部を覆うカバー部と、前記下部開口部を利用して装着することにより、前記第１表面板と第２表面板を位置決めする嵌合部を備えたので、第１表面板と第２表面板を突き合わせ接合した際に、戸先側の下端部に形成される下部開口部にカバー部材の嵌合部を嵌合して第１表面板と第２表面板の位置決めを行うことができ、またカバー部材のカバー部が第１表面板と第２表面板の両側部縁板、両側部補強板及び両折曲板の端部と両側部縁板の表面下端部を覆うことで、外観性の向上とフットガードとしての機能を兼ね備えるのである。
【００１６】
請求項３によれば、前記カバー部材のカバー部は、ベース部の端部に前記第１表面板と第２表面板の両側部縁板の表面下端部に当接する先端カバー片を立上げ形成し、前記嵌合部には、前記下部開口部内で前記第１表面板と第２表面板の化粧板及び側部縁板の内面に当接する複数の突起と、両折曲板の内側面に当接する係合片を形成するとともに、該係合片の当接面側に係合爪を並設し、そして前記第１表面板と第２表面板の各折曲板の下端部に前記係合爪を抜止め係合する係合孔をそれぞれ形成してなることにより、カバー部材の嵌合部を下部開口部に嵌挿するだけで抜止め状態で装着することができ、それにより第１表面板と第２表面板の両側部縁板を段差なく接合することができ、更に戸先側の下端部はカバー部材のカバー部を構成するベース部と先端カバー片とで完全に覆うことができ、外観性の向上とフットガードの機能を確実に果たすことができる。
【００１７】
請求項４によれば、前記第１表面板と第２表面板の戸尻側の上下コーナー部に、開閉用のヒンジを取付ける箱型の補強金具を側部と上下部を当接して位置決めした状態で配置するとともに、両化粧板に接着してなるので、芯材を介して第１表面板と第２表面板の化粧板同士を接着する際に、戸尻側を上下の補強金具で位置きめするとともに、戸先側をカバー部材で位置決めすることができ、正確な状態で第１表面板と第２表面板と接着することができ、両側端面の側部縁板が面一になり、エッジ部材を儲けなくても外観性に優れたものとなる。
【００１８】
また、本発明の請求項５に係る軽量ドアパネルの製造方法によれば、前記第１表面板の化粧板を下に向けてベンチに載せ、化粧板の戸尻側の上下コーナー部に接着剤を塗布した上部補強金具と下部補強金具を載せて位置決めし、それから、前記第１表面板の化粧板に表裏両面に接着剤を塗布した芯材を載せた後、前記第２表面板を化粧板を上にして載せて、前記第１表面板と第２表面板の各補強板同士を突き合わせ接合し、戸先側の下部開口部を利用して合成樹脂製のカバー部材を装着することにより、第１表面板と第２表面板の側部縁板の表面と下端を覆い且つ該両側部縁板の位置決めを行い、更に戸先側の上部開口部を利用して第１表面板と第２表面板の側部縁板を挟持して位置決めを行う上部固定具を着脱可能に装着し、前記第１表面板と第２表面板の両化粧板間を、前記芯材を介して接着した後、前記上部固定具を取り外すので、両側端面にエッジ部材を取付けなくても外観性に優れ、また第１表面板と第２表面板とを連結する際の位置決めも正確であり、組立工数が少なく、容易に製造することができ、製造コストの低減化を図ることができるのである。
【００１９】
請求項６によれば、前記カバー部材は、前記第１表面板と第２表面板の両側部縁板、両側部補強板及び両折曲板の端部と両側部縁板の表面下端部を覆うカバー部と、前記下部開口部を利用して装着することにより、前記第１表面板と第２表面板を位置決めする嵌合部を備え、前記カバー部は、ベース部の端部に前記第１表面板と第２表面板の両側部縁板の表面下端部に当接する先端カバー片を立上げ形成し、前記嵌合部には、前記下部開口部内で前記第１表面板と第２表面板の化粧板及び側部縁板の内面に当接する複数の突起と、両折曲板の内側面に当接する係合片を形成するとともに、該係合片の当接面側に係合爪を並設し、前記第１表面板と第２表面板の各折曲板の下端部に前記係合爪を抜止め係合する係合孔をそれぞれ形成してなるので、突き合わせ接合状態の第１表面板と第２表面板の下部開口部に嵌合部を嵌合するだけでカバー部材を確実に取付けることができ、接着剤が未硬化の状態の第１表面板と第２表面板を正確に位置決めした状態で維持することができ、そして戸先側の下端部を完全に覆うことができるので、接着剤が乾燥硬化した後にもカバー部材を装着したままにすることにより、ドアパネルの戸先側の下端部におけるフットガードの機能を果たすのである。
【図面の簡単な説明】
【００２０】
【図１】本発明に係る軽量ドアパネルの正面図である。
【図２】第１表面板及び第２表面板の斜視図である。
【図３】本発明に係る軽量ドアパネルの製造方法の第１工程を示す斜視図である。
【図４】同じく軽量ドアパネルの製造方法の第２工程を示す斜視図である。
【図５】同じく軽量ドアパネルの製造方法の第３工程を示す斜視図である。
【図６】同じく軽量ドアパネルの製造方法の第４工程を示す斜視図である。
【図７】戸先側の上部に上部固定具を装着する状態の部分斜視図である。
【図８】戸先側の下部にカバー部材を装着する状態の部分斜視図である。
【図９】カバー部材を装着した状態の部分断面図である。
【図１０】カバー部材を示し、（ａ）は正面図、（ｂ）は右側面図、（ｃ）は平面図、（ｄ）は断面図、（ｅ）は斜視図である。
【図１１】上部固定具を示し、（ａ）は正面図、（ｂ）は右側面図、（ｃ）は平面図、（ｄ）は断面図、（ｅ）は斜視図である。
【発明を実施するための形態】
【００２１】
次に、添付図面に示した実施形態に基づき、本発明を更に詳細に説明する。図１は、本発明に係る軽量ドアパネルの全体図、図２は第１表面板及び第２表面板を示し、図３〜図９は製造工程を示し、図１０はカバー部材、図１１は上部固定具をそれぞれ示し、図中符号１は第１表面板、２は第２表面板、３は芯材、４は補強金具、５は開閉機構金具、６はカバー部材、７は上部固定具をそれぞれ示している。尚、本実施形態では、第１表面板１と第２表面板２の寸法は縮小して示しているので、その他の部材が相対的に大きく表示されている。
【００２２】
本発明に係る軽量ドアパネルは、軽量の芯材３をスチール製の第１表面板１と第２表面板２とで挟むとともに、戸尻側の上下コーナー部に箱型の補強金具４，４を内装するとともに、戸先側の上下中間部に開閉機構金具５を内装した構造を有し、少なくとも上下端部に前記補強金具４，４を利用して開閉用のヒンジ（図示せず）を取付け、前記開閉機構金具５を利用してノブと施錠具（共に図示せず）を取付け、更に戸先側の下端部に製造時の第１表面板１と第２表面板２の位置決めとフットガードを兼ねたカバー部材６を装着した基本構造のものである。また、前記上部固定具７は、製造時にのみ第１表面板１と第２表面板２の戸先側の上端部に取付けて位置決めのために使用する。ここで、上部に内装する補強金具４を「上部補強金具４Ａ」とし、下部に内装する補強金具４を「下部補強金具４Ｂ」として表示するが、本実施形態では上部補強金具４Ａと下部補強金具４Ｂとは全く同一形状の部材であり、上部補強金具４Ａを上下反転すれば下部補強金具４Ｂとして使用することができる。
【００２３】
前記第１表面板１は、図２に示すように、表面となる化粧板８の周囲を内向きに直角に折曲して上部縁板９、下部縁板１０及び両側部縁板１１，１２を形成するとともに、各縁板９〜１２の端縁を直角に折曲して前記化粧板８と平行な補強板９Ａ，１０Ａ，１１Ａ，１２Ａをそれぞれ形成し、更に両側部補強板１１Ａ，１２Ａの内側縁を直角に折曲して前記側部縁板１１，１２と平行な折曲板１１Ｂ，１２Ｂを形成したものである。ここで、前記上部縁板９に上部補強板９Ａを形成し、前記下部縁板１０に下部補強板１０Ａを形成し、戸先側の前記側部縁板１１に側部補強板１１Ａと折曲板１１Ｂを形成し、戸尻側の前記側部縁板１２に側部補強板１２Ａと折曲板１２Ｂを形成したのである。そして、前記第１表面板１の戸先側の上部縁板９及び下部縁板１０の端部を切欠し、側部縁板１１、側部補強板１１Ａ及び折曲板１１Ｂの上下端縁を露出させている。図中符号１３は上部切欠部、１４は下部切欠部をそれぞれ示している。また、前記各補強板９Ａ，１０Ａ，１１Ａ，１２Ａの面は、同一平面となるように設定している。
【００２４】
前記第２表面板２は、前記第１表面板１の鏡像対称形であり、表面となる化粧板１５の周囲を内向きに直角に折曲して上部縁板１６、下部縁板１７及び両側部縁板１８，１９を形成するとともに、各縁板１６〜１９の端縁を直角に折曲して前記化粧板１５と平行な補強板１６Ａ，１７Ａ，１８Ａ，１９Ａをそれぞれ形成し、更に両側部補強板１８Ａ，１９Ａの内側縁を直角に折曲して前記側部縁板１８，１９と平行な折曲板１８Ｂ，１９Ｂを形成したものである。ここで、前記上部縁板１６に上部補強板１６Ａを形成し、前記下部縁板１７に下部補強板１７Ａを形成し、戸先側の前記側部縁板１８に側部補強板１８Ａと折曲板１８Ｂを形成し、戸尻側の前記側部縁板１９に側部補強板１９Ａと折曲板１９Ｂを形成したのである。そして、前記同様に、前記第２表面板２の戸先側の上部縁板１６及び下部縁板１７の端部を切欠して、上部切欠部２０と下部切欠部２１を形成している。
【００２５】
そして、本発明に係る軽量ドアパネルは、前記第１表面板１の各補強板９〜１２と第２表面板２の各補強板１６〜１９同士を突き合わせ接合するとともに、少なくとも戸先側の下端に第１表面板１の側部縁板１１と第２表面板２の側部縁板１８の表面と下端を覆い且つ該両側部縁板１１，１８の位置決めをなす合成樹脂製のカバー部材６を装着し、前記第１表面板１と第２表面板２の両化粧板８，１５間を、前記芯材３を介して接着する。前記芯材３としては、ペーパーハニカムを用い、該ハニカムの六角形の孔をパネルの厚さ方向に向けているので、非常に圧縮強度が高いにも係わらず、紙製であるので軽量である。
【００２６】
ここで、前記第１表面板１と第２表面板２を接合すると、上部切欠部１３，２０によって上方に開放した上部開口部２２が形成されるとともに、下部切欠部１４，２１によって下方に開放した下上部開口部２３が形成されるので、該下部開口部２３を利用して前記カバー部材６を装着する。前記カバー部材６は、前記第１表面板１と第２表面板２の両側部縁板１１，１８、両側部補強板１１Ａ，１８Ａ及び両折曲板１１Ｂ，１８Ｂの端部と両側部縁板１１，１８の表面下端部を覆うカバー部２４と、前記下部開口部２３に嵌合して前記第１表面板１と第２表面板２を位置決めする嵌合部２５を備えたものである。
【００２７】
更に詳しくは、図８及び図１０に示すように、前記カバー部材６のカバー部２４は、ベース部２６の端部に前記第１表面板１と第２表面板２の両側部縁板１１，１８の表面下端部に当接する先端カバー片２７を立上げ形成し、前記嵌合部２５には、前記下部開口部２３内で前記第１表面板１と第２表面板２の化粧板８，１５及び側部縁板１１，１８の内面に当接する複数の突起２８，…と、両折曲板１１Ｂ，１８Ｂの内側面に当接する係合片２９を形成するとともに、該係合片２９の当接面側に係合爪３０，３０を並設したものであり、そして前記第１表面板１と第２表面板２の各折曲板１１Ｂ，１８Ｂの下端部に前記係合爪３０，３０を抜止め係合する係合孔３１，３１をそれぞれ形成している。
【００２８】
前記カバー部材６のカバー部２４は、図１０に示すように、ベース部２６と先端カバー片２７とで側面視倒Ｌ字形の形状であり、ベース部２６が前記第１表面板１と第２表面板２の両側部縁板１１，１８と化粧板８，１５の下端に当止してその端部を覆い、また先端カバー片２７が前記第１表面板１と第２表面板２の両側部縁板１１，１８の表面下端部に当接してその部分を覆っている。前記カバー部材６の突起２８，…は、図９及び図１０に示すように、前記第１表面板１の化粧板８と側部縁板１１のコーナー部内面と前記第２表面板２の化粧板１５と側部縁板１８のコーナー部とに当接するコーナー突起２８Ａ，２８Ａと、前記第１表面板１の側部補強板１１Ａに近い位置の側部縁板１１の内面と前記第２表面板２の側部補強板１８Ａに近い位置の側部縁板１８の内面とに当接する中間部突起２８Ｂ，２８Ｂからなっている。そして、前記先端カバー片２７とコーナー突起２８Ａ，２８Ａ及び中間部突起２８Ｂ，２８Ｂで両側部縁板１１，１８の下端部を挟持し、また前記第１表面板１と第２表面板２の各折曲板１１Ｂ，１８Ｂの内側面に係合片２９が当接して、該係合片２９と前記先端カバー片２７とで側部補強板１１Ａと折曲板１１Ｂ及び側部補強板１８Ａと折曲板１８Ｂを挟持し、両側部補強板１１Ａ，１８Ａの表面が面一になるように位置決めし、更に係合片２９に設けた係合爪３０，３０が各折曲板１１Ｂ，１８Ｂの係合孔３１，３１に抜止め状態で係合する。このカバー部材６は、ドアパネルの戸先側の下端部に取付けられてフットガードとしての機能も備えている。
【００２９】
また、前記第１表面板１と第２表面板２を接合した際に形成される上部開口部２２を利用して、前記同様な嵌合構造で前記カバー部材６を装着して、製造時の位置決めの働きをさせることも可能であるが、本発明では戸先側の上端部は前記上部固定具７を着脱可能に取付けるようにしている。前記上部固定具７は、図７及び図１１に示すように、前記第１表面板１と第２表面板２の両側部縁板１１，１８の表面上端部に外側から当接する基準ブロック３２と、前記上部開口部２２の内部に下部を挿入し、上部を前記基準ブロック３２に接合する挟持ブロック３３と、両ブロックを締付けるボルト３４と蝶ナット３５とから構成されている。前記基準ブロック３２の上部に段落ち部３６を形成し、前記挟持ブロック３３の上部に該段落ち部３６に係合する凸台部３７を形成し、前記ボルト３４を挟持ブロック３３の凸台部３７から基準ブロック３２の上部に貫通させ、その突出部に前記蝶ナット３５を螺合し、更に前記挟持ブロック３３の下部には、前記上部開口部２２に挿入し、前記第１表面板１と第２表面板２の各折曲板１１Ｂ，１８Ｂの先端縁に当接する一対の挟持部３８，３８を形成している。また、前記基準ブロック３２の下部に内外貫通した装着孔３９を形成し、該装着孔３９にマグネット４０を嵌挿し、固定ネジ４１を前記基準ブロック３２の一側面及び下面で前記装着孔３９に連通させて形成した螺孔４２，４２に螺合し、前記マグネット４０の外周面を押圧して固定している。
【００３０】
そして、前記第１表面板１と第２表面板２を正確に位置決めして接合した状態で、前記上部固定具７の基準ブロック３２を前記両側部縁板１１，１８の上端部に接合して、前記マグネット４０を両側部縁板１１，１８に跨って吸着させるとともに、前記挟持ブロック３３の両挟持部３８，３８を上部開口部２２に挿入し、両挟持部３８，３８の間に各折曲板１１Ｂ，１８Ｂの先端縁を挟み込み、そして前記蝶ナット３５を締付けて前記両側部縁板１１，１８の上端部を基準ブロック３２と両挟持部３８，３８で強く挟持する。この状態では、両側部縁板１１，１８の表面が面一になるので、前記第１表面板１と第２表面板２は正確に接合した状態を維持する。
【００３１】
そして、本発明に係る軽量ドアパネルを組立てるには、図３（第１工程）に示すように、先ず前記第１表面板１の化粧板８を下に向けてベンチに載せ、戸尻側の上下コーナー部に接着剤を塗布した上部補強金具４Ａと下部補強金具４Ｂを載せて、上部補強金具４Ａの一側部及び上部を側部補強板１２及び上部補強板９に当接して位置決めし、下部補強金具４Ｂの一側部及び下部を側部補強板１２及び下部補強板１０に当接して位置決めする。また、前記第１表面板１の戸先側の上下中間部に接着剤を塗布した前記開閉機構金具５を折曲板１１Ｂに当接して位置決めする。ここで、前記上部補強金具４Ａと下部補強金具４Ｂに、ヒンジを取付けて引き出すために、前記上部縁板９と下部縁板１０の一部を切欠し、また前記開閉機構金具５に装着した施錠具やノブに連動して側方へ出没する施錠杆やラッチを引き出すために、前記側部縁板１１の上下中間部の一部を切欠している。
【００３２】
それから、図４（第２工程）に示すように、前記第１表面板１の化粧板８の裏面であって、前記上部補強金具４Ａ、下部補強金具４Ｂ及び開閉機構金具５を設けた部分を除いて全面に、表裏両面に接着剤を塗布した芯材３を敷き詰める。そして、図５（第３工程）に示すように、前記第２表面板２を、化粧板１５を上にして載せて、前記第１表面板１の各補強板９Ａ〜１２Ａに前記第２表面板２の各補強板１６Ａ〜１９Ａを突き合わせ接合する。この際に、前記上部補強金具４Ａと下部補強金具４Ｂは、第２表面板２の戸尻側の上下コーナー部に密接するとともに、前記開閉機構金具５は第２表面板２の戸先側の側部縁板１８に当接して位置決めされる。
【００３３】
その後、図６（第４工程）及び図７に示すように、上部開口部２２に蝶ナット３５を緩めた状態の上部固定具７の両挟持部３８，３８をそれぞれ折曲板１１Ｂ，１８Ｂの端縁の外側に密接させて挿入し、前記蝶ナット３５を締め付けて、基準ブロック３２と挟持ブロック３３の両挟持部３８，３８とで側部縁板１１，１８を強く挟持する。また、図６及び図８に示すように、下部開口部２３に前記カバー部材６の嵌合部２５を嵌挿し、嵌合部２５を構成するコーナー突起２８Ａ，２８Ａを、第１表面板１の化粧板８と側部縁板１１のコーナー部と、第２表面板２の化粧板１５と側部縁板１８のコーナー部に圧接し、中間部突起２８Ｂ，２８Ｂを、第１表面板１の側部補強板１１Ａ寄りで側部縁板１１の内面と、第２表面板２の側部補強板１８Ａ寄りで側部縁板１８の内面との圧接し、更に先端カバー片２７を第１表面板１と第２表面板２の各側部縁板１１，１８の表面下端部に圧接するとともに、嵌合部２５を構成する係合片２９を第１表面板１と第２表面板２の各折曲板１１Ｂ，１８Ｂの内側面に当接し且つその当接面側に設けた係合爪３０，３０を各折曲板１１Ｂ，１８Ｂの係合孔３１，３１に抜止め係合する。前記カバー部材６を第１表面板１と第２表面板２の戸先側の下端部に装着することにより、ベース部２６と先端カバー片２７とで端縁を完全に覆った状態となり、また第１表面板１と第２表面板２の位置きめ状態を維持するのである。
【００３４】
最後に、図示しないが、第２表面板２の化粧板１５の上からプレス板により所定圧力で押さえ、適宜接着剤の乾燥を促進するために加熱する。それにより、前記心材３及び上部補強金具４Ａ、下部補強金具４Ｂ及び開閉機構金具５を介して化粧板８，１５同士が強固に連結されるのである。そして、接着剤が乾燥硬化後に、プレス板を取り去り、前記上部固定具７を外して軽量ドアパネルが完成する。ここで、前記カバー部材６は軽量ドアパネルの戸先側の下端部に装着したままフットガードとして用いるのである。
【００３５】
尚、前記第１表面板１と第２表面板２の接合強度が不足する場合には、第１表面板１と第２表面板２の上下部同士を連結片でネジ止め連結することも可能である。それには、第１表面板１と第２表面板２の上部補強板９Ａ，１６Ａであって、上部縁板９，１６に沿った位置に切欠孔を形成するとともに、下部補強板１０Ａ，１７Ａであって、下部縁板１０，１７に沿った位置に切欠孔を形成する。そして、前記第１表面板１と第２表面板２を接合すると同時に、各切欠孔に連結片を挿入するとともに、前記上部縁板９，１６及び下部縁板１０，１７を貫通させたネジを連結片の両端部に螺合して連結するのである。ここで、ドアパネルの上下端面に連結ネジが露出するが、目立たない場所なので外観性には全く影響を及ぼさない。
【符号の説明】
【００３６】
１  第１表面板、            ２  第２表面板、
３  芯材、                  ４  補強金具、
４Ａ  上部補強金具、        ４Ｂ  下部補強金具、
５  開閉機構金具、          ６  カバー部材、
７  上部固定具、            ８  化粧板、
９  上部縁板、              ９Ａ  上部補強板、
１０  下部縁板、            １０Ａ  下部補強板、
１１  側部縁板、            １１Ａ  側部補強板、
１１Ｂ  折曲板、            １２  側部縁板、
１２Ａ  側部補強板、        １２Ｂ  折曲板、
１３  上部切欠部、          １４  下部切欠部、
１５  化粧板、              １６  上部縁板、
１６Ａ  上部補強板、        １７  下部縁板、
１７Ａ  下部補強板、        １８  側部縁板、
１８Ａ  側部補強板、        １８Ｂ  折曲板、
１９  側部縁板、            １９Ａ  側部補強板、
１９Ｂ  折曲板、            ２０  上部切欠部、
２１  下部切欠部、          ２２  上部開口部、
２３  下部開口部、          ２４  カバー部、
２５  嵌合部、              ２６  ベース部、
２７  先端カバー片、        ２８  突起、
２８Ａ  コーナー突起、      ２８Ｂ  中間部突起、
２９  係合片、              ３０  係合爪、
３１  係合孔、              ３２  基準ブロック、
３３  挟持ブロック、        ３４  ボルト、
３５  蝶ナット、            ３６  段落ち部、
３７  凸台部、              ３８  挟持部、
３９  装着孔                ４０  マグネット
４１  固定ネジ              ４２  螺孔。
【図１】
0005682199.tif 000002
【図２】
0005682199.tif 000003
【図３】
0005682199.tif 000004
【図４】
0005682199.tif 000005
【図５】
0005682199.tif 000006
【図６】
0005682199.tif 000007
【図７】
0005682199.tif 000008
【図８】
0005682199.tif 000009
【図９】
0005682199.tif 000010
【図１０】
0005682199.tif 000011
【図１１】
0005682199.tif 000012